(57)【要約】      （修正有）【課題】傘を持った人が安定的に歩くことができる傘の中棒に用いるベースを提供する。【解決手段】傘の中棒に用いるベース１０は、主桿１１、円球１２及びゴム足１３を備える。主桿１１は、中空管状であり、頂部にスリーブ１４が配置され、底部近くに受圧ブロック１５が内設され、底部に枢着空間１６が設けられる。主桿１１及びスリーブ１４には、先端を有する傘の中棒が挿入される。円球１２は、主桿１１の枢着空間１６内に収納され、受圧ブロック１５に当接されて枢着空間１６から外れることを防ぐとともに、枢着空間１６内で回転運動し、主桿１１を有する。ゴム足１３は、頂面に円球１２が設けられたロッド１２１と結合される。円球１２が枢着空間１６内で回転運動が可能なため、傘の中棒が全方向で支えられるとともに受圧ブロック１５により円球１２の動きが緩やかになる。【選択図】図３
0003179438.tif 000002
【実用新案登録請求の範囲】
【請求項１】
傘の中棒に用いるベースであって、
前記ベースは、主桿、円球及びゴム足を備え、
前記主桿は、中空管状であり、頂部にスリーブが配置され、底部近くに受圧ブロックが内設され、底部に枢着空間が設けられ、前記主桿及び前記スリーブに、先端を有する前記傘の中棒が挿入され、
前記円球は、前記主桿の前記枢着空間内に収納され、前記受圧ブロックに当接されて前記枢着空間から外れることなく前記枢着空間内で回転運動し、前記主桿を有し、
前記ゴム足は、頂面に円球が設けられたロッドと結合され、
前記円球が前記枢着空間内で回転運動が可能で、前記傘の中棒が全方向で支えられるとともに前記受圧ブロックにより円球の動きが緩やかで、傘を持ったユーザが安定的に歩くことが可能なことを特徴とする傘の中棒に用いるベース。
【請求項２】
前記スリーブは、頂部から底部にかけて内径が徐々に小さくなっていることを特徴とする請求項１に記載の傘の中棒に用いるベース。
【請求項３】
前記受圧ブロックの上部には凹槽が設けられることを特徴とする請求項１に記載の傘の中棒に用いるベース。
【請求項４】
前記枢着空間の内壁は、徐々に収束して前記円球を覆い、前記円球を位置決めすることを特徴とする請求項１に記載の傘の中棒に用いるベース。
【請求項５】
前記円球の前記ロッドはネジ軸であり、
前記ゴム足の頂面には、前記ネジ軸に対応した箇所にネジ孔が設けられていることを特徴とする請求項１に記載の傘の中棒に用いるベース。
【請求項６】
前記ゴム足は、上ブロックと下ブロックとの組み合わせにより構成され、
前記上ブロックの底面には、位置決め凹孔が設けられ、
前記下ブロックの頂面には、位置決めバンプが設けられ、
前記位置決め凹孔には、前記位置決めバンプが嵌合され、
前記下ブロックの底部には、複数の凸点が設けられることを特徴とする請求項１に記載の傘の中棒に用いるベース。
【請求項７】
前記主桿及び前記スリーブ内には、接着剤が塗布され、前記中棒の先端が結合されることを特徴とする請求項１に記載の傘の中棒に用いるベース。
【請求項８】
前記主桿と前記スリーブとを螺着させ、前記スリーブ内に当接リングが配置されることを特徴とする請求項１に記載の傘の中棒に用いるベース。
【請求項９】
前記凸点は、３つの尖点であることを特徴とする請求項６に記載の傘の中棒に用いるベース。
【請求項１０】
前記凸点は、平面に突設された複数の突出点であることを特徴とする請求項６に記載の傘の中棒に用いるベース。
【考案の詳細な説明】
【技術分野】
【０００１】
本考案は、傘に関し、特に、傘の中棒に取り付けたベースにより中棒を支えて全方向性で傘を支持し、円球の回転運動がぶれることを防いで傘を使用するユーザが安定的に歩くことができるようにする傘の中棒に用いるベースに関する。
【背景技術】
【０００２】
一般に従来の傘は、雨、日光などがユーザに直に当たることを防ぐために用い、中棒で支えられているため、ユーザは、傘を直接に杖代わりとして使用することもできる。そのため非常に便利であり、身体が不自由な者が歩く際、支持して安定的に歩くツールとして用い、行動が不便な者が歩く際に支えて安定的に歩けるようにすることができるが、平坦な道、坂道又は路面に凹凸がある道で使用する場合、従来技術のように１つの態様しかない傘では多様な路面状況に対応することができなかった。
【０００３】
そのため、もし一般の杖に、可動可能なベースを取り付け、杖の底部に円球を設置し、ベースに設けられた円状槽に円球を枢着した場合、ベースに対して様々な角度で傾けることができるため、多様な路面に対応することができる。しかし、ベースが路面の状態に応じて傾いても、自由度が大きく動作速度が速すぎる場合、杖を使用するユーザを支えることができずにユーザが倒れてしまうなどの欠点があった。
【考案の概要】
【考案が解決しようとする課題】
【０００４】
本考案の主な目的は、傘の中棒にベースを取り付けて傘を杖として用いることができるようにし、傘を全方向性で支えて、円球の回転運動がぶれることを防いで傘を使用するユーザが安定的に歩くことができるようにする傘の中棒に用いるベースを提供することにある。
本考案のもう一つの目的は、歩く者を全方向性で支えることにより、様々な路面に対応することが可能な傘の中棒に用いるベースを提供することにある。
【課題を解決するための手段】
【０００５】
上記課題を解決するために、本考案の第１の形態によれば、傘の中棒に用いるベースであって、前記ベースは、主桿、円球及びゴム足を備え、前記主桿は、中空管状であり、頂部にスリーブが配置され、底部近くに受圧ブロックが内設され、底部に枢着空間が設けられ、前記主桿及び前記スリーブに、先端を有する前記傘の中棒が挿入され、前記円球は、前記主桿の前記枢着空間内に収納され、前記受圧ブロックに当接されて前記枢着空間から外れることを防ぐとともに、前記枢着空間内で回転運動し、前記主桿を有し、前記ゴム足は、頂面が円球のロッドと結合され、前記円球が前記枢着空間内で回転運動が可能なため、前記傘の中棒が全方向で支えられるとともに前記受圧ブロックにより円球の動きが緩やかになるため、傘を持ったユーザが安定的に歩くことが可能であることを特徴とする傘の中棒に用いるベースが提供される。
【０００６】
前記スリーブは、頂部から底部にかけて内径が徐々に小さくなっていることが好ましい。
【０００７】
前記受圧ブロックの上部には凹槽が設けられることが好ましい。
【０００８】
前記枢着空間の内壁は、徐々に収束して前記円球を覆い、前記円球を位置決めすることが好ましい。
【０００９】
前記円球の前記ロッドはネジ軸であり、前記ゴム足の頂面には、前記ネジ軸に対応した箇所にネジ孔が設けられていることが好ましい。
【００１０】
前記ゴム足は、上ブロックと下ブロックとの組み合わせにより構成され、前記上ブロックの底面には、位置決め凹孔が設けられ、前記下ブロックの頂面には、位置決めバンプが設けられ、前記位置決め凹孔には、前記位置決めバンプが嵌合され、前記下ブロックの底部には、複数の凸点が設けられることが好ましい。
【００１１】
前記主桿及び前記スリーブ内には、接着剤が塗布され、前記中棒の先端が結合されることが好ましい。
【００１２】
前記主桿と前記スリーブとを螺着させ、前記スリーブ内に当接リングが配置されることが好ましい。
【００１３】
前記下ブロックの底部に設けられた前記凸点は、３つの尖点であることが好ましい。
【００１４】
前記下ブロックの底部に設けられた前記凸点は、平面に突設された複数の突出点であることが好ましい。
【図面の簡単な説明】
【００１５】
【図１】本考案の第１実施形態に係る傘の中棒に用いるベースを示す分解斜視図である。
【図２】本考案の第１実施形態に係る傘の中棒に用いるベースを示す斜視図である。
【図３】本考案の第１実施形態に係る傘の中棒に用いるベースを示す断面図である。
【図４】本考案の第１実施形態に係るゴム足に対して主桿が傾いたときのベースを示す断面図である。
【図５】本考案の一実施形態に係る傘の中棒に用いるベースの傘の中棒の先端をベースに挿入したときの状態を示す断面図である。
【図６】本考案の第２実施形態に係る傘の中棒に用いるベースを示す分解斜視図である。
【図７】本考案の第２実施形態に係る傘の中棒に用いるベースを示す斜視図である。
【図８】本考案の第２実施形態に係る傘の中棒に用いるベースへ傘の中棒の先端を挿入したときの状態を示す断面図である。
【考案を実施するための形態】
【００１６】
以下、本考案の実施形態について図に基づいて説明する。なお、これによって本考案が限定されるものではない。
【００１７】
（第１実施形態）
図１〜図５を参照する。図１〜図５に示すように、本考案の第１実施形態に係る傘の中棒に用いるベース１０は、主桿１１、円球１２及びゴム足（ｒｕｂｂｅｒ  ｆｏｏｔ）１３を含む。主桿１１は、中空管状であり、頂部にスリーブ１４が配置される。このスリーブ１４は、主桿１１の頂部に固定される。スリーブ１４は、頂部から底部にかけて内径が徐々に小さくなった形状を有し、傘の中棒３０の先端３１（図５参照）がスリーブ１４に挿入されると、中棒３０が位置決めされる。主桿１１の底部近くには受圧ブロック１５が内設される。この受圧ブロック１５は、例えば、皿状である。この受圧ブロック１５の上部には、凹槽１５１が設けられている。主桿１１の内側底部には、枢着空間１６が設けられる。枢着空間１６の内壁は、徐々に収束されて円球１２を覆い、円球１２を位置決めして摩擦抵抗力を発生させる。
【００１８】
円球１２は、主桿１１の枢着空間１６内に収納されると、受圧ブロック１５の底面に当接されて枢着空間１６から外れることを防ぐことができる。円球１２は、枢着空間１６内で回転運動し、円球１２が受圧ブロック１５の底面に当接されると抵抗力が発生し、枢着空間１６は、円球１２が発生させる摩擦抵抗力と、円球１２が受圧ブロック１５の底面に当接されて発生する抵抗力との二重の力により円球１２の回転運動がぶれることを防ぐ。円球１２はロッド（ｒｏｄ）１２１を有する。このロッド１２１はネジ軸である。ゴム足１３の頂面と円球１２のロッド１２１とが結合され、ゴム足１３の底面には、複数の凸点１３０が設けられている。凸点１３０は、３つの尖点が地面に接触されて滑り止めとして用いられる。ロッド１２１の頂面には、ゴム足１３に対応したネジ孔１３１１が設けられている。ゴム足１３は、上ブロック１３１と下ブロック１３２との組み合わせにより構成される。上ブロック１３１の底面には、位置決め凹孔１３１２（図３参照）が設けられる。下ブロック１３２の頂面には、位置決めバンプ１３２１が設けられる。位置決めバンプ１３２１は、上ブロック１３１の位置決め凹孔１３１２に嵌入され、上ブロック１３１と下ブロック１３２とが結合される。
【００１９】
本考案の第１実施形態に係る傘の中棒に用いるベースを組み立てる場合、円球１２を主桿１１内へ入れる際、円球１２のロッド１２１を下方へ向け、ロッド１２１を主桿１１に貫設させて底面から突出させ、ロッド１２１とゴム足１３の頂面（上ブロック１３１）とが結合されると、受圧ブロック１５が主桿１１内に入って円球１２を押圧し、受圧ブロック１５を主桿１１内に固定し、スリーブ１４が主桿１１の頂部に固定され、中棒３０の先端３１と主桿１１とが接触される箇所に接着剤を塗布して中棒３０を位置決めして本考案の組み立てを完了する。
【００２０】
傘の中棒３０の先端３１をスリーブ１４内に挿入して位置決めさせると、傘の一部は中棒３０の先端３１が長めの場合、受圧ブロック１５の凹槽１５１に深く挿入されて凹槽１５１に接触される。
【００２１】
実際に操作する際、ユーザは傘の把持部（中棒３０）を手で持ち、ゴム足１３の凸点１３０を地面に接触させると、地面が傾斜していたり凹凸があったりする場合、傘を持つ手に力を加えても、枢着空間１６内で円球１２が回転運動して中棒３０が全方位で支持され、受圧ブロック１５及び枢着空間１６により円球１２の動きが緩やかになって動きが大きくなり過ぎないようになり、傘を持った人が倒れずに安定的に歩くことができる。
【００２２】
（第２実施形態）
図６〜図８を参照する。図６〜図８に示すように、本考案の第２実施形態に係る傘の中棒に用いるベース２０は、主桿２１、円球２２及びゴム足２３を含む。主桿２１は、中空管状であり、頂部にスリーブ２４が配置される。このスリーブ２４は、主桿２１の頂部に螺着される。スリーブ２４内には、当接リング２７が挿設される。この当接リング２７は、ゴム又は金属からなり、スリーブ２４と主桿２１とを螺着させてから中棒３０の先端３１（図８参照）を圧着させ、傘の中棒３０の先端３１を挿入して位置決めすることにより、中棒３０とベース２０とが外れることを防ぐ。主桿２１の底部近くには受圧ブロック２５が内設される。この受圧ブロック２５は、例えば、皿状である。この受圧ブロック２５の上部には、凹槽２５１が設けられる。主桿２１の底部には、枢着空間２６が設けられる。枢着空間２６の内壁は、徐々に収束されて円球２２を覆って位置決めし、摩擦抵抗力が発生する。
【００２３】
円球２２は、主桿２１の枢着空間２６内に収納され、受圧ブロック２５の底面に当接されて枢着空間２６から外れることを防ぐ。円球２２は、枢着空間２６内で回転運動し、受圧ブロック２５の底面に当接されると、抵抗力が発生し、円球２２が発生させる摩擦抵抗力と、円球２２が受圧ブロック２５の底面に当接されて発生する抵抗力との二重の力により、枢着空間２６内の円球２２の回転運動がぶれることを防ぐ。円球２２はロッド２２１を有する。ロッド２２１はネジ軸である。ゴム足２３の頂面と円球２２のロッド２２１とが結合されるとともに、ゴム足２３の底面に複数の凸点２３０が突設されている。凸点２３０は、地面に接触されて滑り止めとして使用される。ロッド２２１の頂面には、ゴム足２３に対応した箇所にネジ孔２３１１が設けられる。ゴム足２３は、上ブロック２３１と下ブロック２３２との組み合わせにより構成され、上ブロック２３１の底面は、位置決め凹孔２３１２（図８参照）を有する。下ブロック２３２の頂面には、位置決めバンプ２３２１が設けられる。位置決めバンプ２３２１は、上ブロック２３１の位置決め凹孔２３１２に嵌入されて上ブロック２３１と下ブロック２３２とが結合される。
【００２４】
本考案の第２実施形態に係る傘の中棒に用いるベースを組み立てる場合、円球２２を主桿２１内へ入れる際、円球２２のロッド２２１を下方へ向け、ロッド２２１を主桿２１に貫設させて底面から突出させ、ロッド２２１とゴム足２３の頂面（上ブロック２３１）とが結合されると、受圧ブロック２５が主桿２１内に入って円球２２を押圧し、主桿２１内に受圧ブロック２５を固定し、スリーブ２４が主桿２１の頂部に固定され、スリーブ２４の当接リング２７は、スリーブ２４が主桿２１に螺着されると圧縮され、中棒３０の先端３１を押圧し、傘の中棒３０の先端３１が挿入されて位置決めされると、本考案の組み立てが完了して中棒３０とベース２０とが外れることを防ぐことができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０      ベース
１１      主桿
１２      円球
１３      ゴム足
１４      スリーブ
１５      受圧ブロック
１６      枢着空間
２０      ベース
２１      主桿
２２      円球
２３      ゴム足
２４      スリーブ
２５      受圧ブロック
２６      枢着空間
２７      当接リング
３０      中棒
３１      先端
１２１    ロッド
１３０    凸点
１３１    上ブロック
１３２    下ブロック
１５１    凹槽
２２１    ロッド
２３０    凸点
２３１    上ブロック
２３２    下ブロック
２５１    凹槽
１３１１  ネジ孔
１３１２  位置決め凹孔
１３２１  位置決めバンプ
２３１１  ネジ孔
２３１２  位置決め凹孔
２３２１  位置決めバンプ
【図１】
0003179438.tif 000003
【図２】
0003179438.tif 000004
【図３】
0003179438.tif 000005
【図４】
0003179438.tif 000006
【図５】
0003179438.tif 000007
【図６】
0003179438.tif 000008
【図７】
0003179438.tif 000009
【図８】
0003179438.tif 000010